(57)【要約】  【課題】上げ下げ窓において、可動障子の建込みを容易化するとともに、省力化を図る。  【解決手段】渦巻きバネ部材２３による付勢力により、上下方向に開閉される可動障子３と力学的平衡関係を保ち、可動障子３の開閉を容易にするとともに、任意の高さ位置に停止可能とする上げ下げ窓１用バランサー装置５において、可動障子３を吊持する前の製品状態時に、前記吊りワイヤ３２を所定長さだけ繰り出した状態で保持するために、吊りワイヤ３２の中間に固定された止め具３４を備えるとともに、バランサー本体側に前記止め具３４を係合させるための仮止め部３５を備え、かつ前記仮止め部３５は、巻取りドラム２４からの吊索下げ落とし位置に近接して設けられるとともに、吊りワイヤ３２を下方側に引き込んだ際に前記吊りワイヤ３２に設けられた止め具３４の係合が自動的に解除される構造とする。【選択図】  図４
2004353437.tif 000002
【特許請求の範囲】
【請求項１】
支軸と、この支軸により回動自在に支持されるとともに、可動障子を吊持する吊索を、周面に螺旋状に形成された巻取り溝に巻き取る巻取りドラムと、前記支軸に内方端が係止されるとともに、前記巻取りドラムに外方端が係止された渦巻きバネ部材とを備え、前記渦巻きバネ部材による付勢力により、上下方向に開閉される可動障子を力学的平衡関係を保ちながら吊持する上げ下げ窓用バランサー装置において、
前記上げ下げ窓用バランサー装置は、可動障子を吊持する前の製品状態時に、前記吊索を所定長さだけ繰り出した状態で保持するために、吊索の中間に固定された止め具を備えるとともに、バランサー本体側に前記止め具を係合し仮止めするための仮止め部を備え、
かつ前記仮止め部は、巻取りドラムからの吊索下げ落とし位置に近接して設けられるとともに、吊索を下方側に引き込んだ際に前記吊索に設けられた止め具の係合が自動的に解除される構造としたことを特徴とする渦巻きバネ式バランサー装置。
【請求項２】
前記仮止め部は、巻取りドラムからの吊索下げ落とし位置から３０mm以内の距離に設けてある請求項１記載の渦巻きバネ式バランサー装置。
【請求項３】
前記仮止め部は、吊索の下げ落とし位置側に開口溝を臨ませた孔部とし、前記止め具の係合時には前記孔部に対して止め具の一部を係合させた構造としてある請求項１，２いずれかに記載の渦巻きバネ式バランサー装置。
【請求項４】
上枠、下枠及び内面側に部材長手方向に沿って縦溝が形成された両縦枠からなる窓枠の内部に、上下方向に開閉可能な可動障子を備えるとともに、前記窓枠の上部位置に請求項１〜３いずれかに記載の渦巻きバネ式のバランサー装置を配置し、このバランサー装置から繰り出された吊索によって前記可動障子を吊持するようにした上げ下げ窓における障子の建込み方法であって、
前記可動障子の両側部にそれぞれ、側方に突出して吊索係止部材を設けておき、この吊索係止部材に対してバランサー装置から繰り出された吊索を係止させた状態で、可動障子を窓枠内に建て込んだならば、前記可動障子を下降させることにより、前記吊索に設けられた止め具の係合を自動的に解除させるようにしたことを特徴とする上げ下げ窓における障子の建込み方法。
【請求項５】
上枠、下枠及び内面側に部材長手方向に沿って縦溝が形成された両縦枠からなる窓枠の内部に、上下方向に開閉可能な可動障子を備えるとともに、前記窓枠の上部位置に請求項１〜３いずれかに記載の渦巻きバネ式のバランサー装置を配置し、このバランサー装置から繰り出された吊索によって前記可動障子を吊持するようにした上げ下げ窓における障子の建込み方法であって、
前記バランサー装置からの吊索をスライダーに係止させたならば、窓枠内に可動障子を嵌め込み、可動障子の側部に設けられたバー部材をスライダーに連結したならば、前記可動障子を下降させることにより、前記吊索に設けられた止め具の係合を自動的に解除させるようにしたことを特徴とする上げ下げ窓における障子の建込み方法。
【請求項６】
前記縦枠の上端部であってかつ前記渦巻きバネ式バランサー装置の下面側位置に、前記縦枠の開口を塞ぐ封鎖部材が設けられるとともに、この封鎖部材は、可動障子の昇降に伴う吊索の下げ落とし位置の変化軌跡線にほぼ沿うように吊索貫通用切込み線が設けられるとともに、この吊索貫通用切込み線へ吊索を導入するための導入切込み線が設けられた吊索挿通部を備え、
前記吊索挿通部の導入切込み線の入口部に吊索を近接させた状態として前記封鎖部材を配置し、障子建込み時における可動障子の下降時に、前記吊索が自動的に前記導入切込み線を経て吊索貫通用切込み線内に導入されるようにしてある請求項４、５いずれかに記載の上げ下げ窓における障子の建込み方法。
【発明の詳細な説明】
【技術分野】
【０００１】
本発明は、渦巻きバネ材による上方向の付勢力により、上下方向に開閉自在とされる可動障子と力学的平衡関係を保つための上げ下げ窓のバランサー装置と、このバランサー装置を用いることにより障子の建込みを容易化するとともに、省力化を図った上げ下げ窓における障子の建込み方法に関する。
【背景技術】
【０００２】
従来より、上下方向に開閉操作される可動障子を備えた上げ下げ窓としては、渦巻きバネ式バランサーから繰り出された吊りワイヤによって可動障子を吊持し、障子重量と釣り合う平衡力を作用させるようにした渦巻きバネ式の上げ下げ窓が知られている。具体的には、図１６及び図１７に示されるように、窓枠５０の上部位置にそれぞれ渦巻きバネ式バランサー５１，５１を配設するとともに、縦枠５０Ａ、５０Ｂ内に前記バランサー５１から繰り出された吊りワイヤ５２を係止させるスライダー５３，５３を設けるとともに、可動障子５５の下端両側部に設けられたバー部材５４を前記スライダー５３に連結し、障子重量と釣り合う平衡力を作用させるようにしている（例えば下記特許文献１等参照）。
【特許文献１】特開２０００−６４７２７号公報
【発明の開示】
【発明が解決しようとする課題】
【０００３】
しかしながら、前述した上げ下げ窓構造の場合には、可動障子の建込みに当たり、スライダー５３を吊りワイヤ５２の張力に抗して予め引き下げておき、窓枠５０内に可動障子５５を嵌め込んでから可動障子５５の下端部に設けられたバー部材５４をスライダー５３に連結する手順によらなければならないため、スライダー５３を引き下げる者と、可動障子５５を窓枠５０内に嵌め込む者とが必要となり、建込みに複数の人員と多くの手間とを要するなどの問題があった。
【０００４】
また、渦巻きバネ式バランサー装置では、前記吊りワイヤを引き下げた際、誤って吊りワイヤを離してしまうと、吊りワイヤが巻取りドラムに絡まってしまい、その手直しに多くの手間と時間を要するなどの問題があった。
【０００５】
そこで本発明の主たる課題は、障子の建込みを容易化するとともに、省力化を図り得る渦巻きバネ式バランサー装置及びこれを用いた障子の建込み方法を提供することにある。
【課題を解決するための手段】
【０００６】
前記課題を解決するために請求項１に係る本発明として、支軸と、この支軸により回動自在に支持されるとともに、可動障子を吊持する吊索を、周面に螺旋状に形成された巻取り溝に巻き取る巻取りドラムと、前記支軸に内方端が係止されるとともに、前記巻取りドラムに外方端が係止された渦巻きバネ部材とを備え、前記渦巻きバネ部材による付勢力により、上下方向に開閉される可動障子を力学的平衡関係を保ちながら吊持する上げ下げ窓用バランサー装置において、
前記上げ下げ窓用バランサー装置は、可動障子を吊持する前の製品状態時に、前記吊索を所定長さだけ繰り出した状態で保持するために、吊索の中間に固定された止め具を備えるとともに、バランサー本体側に前記止め具を係合し仮止めするための仮止め部を備え、
かつ前記仮止め部は、巻取りドラムからの吊索下げ落とし位置に近接して設けられるとともに、吊索を下方側に引き込んだ際に前記吊索に設けられた止め具の係合が自動的に解除される構造としたことを特徴とする渦巻きバネ式バランサー装置が提供される。
【０００７】
請求項２に係る本発明として、前記仮止め部は、巻取りドラムからの吊索下げ落とし位置から３０mm以内の距離に設けてある請求項１記載の渦巻きバネ式バランサー装置が提供される。
【０００８】
請求項３に係る本発明として、前記仮止め部は、吊索の下げ落とし位置側に開口溝を臨ませた孔部とし、前記止め具の係合時には前記孔部に対して止め具の一部を係合させた構造としてある請求項１，２いずれかに記載の渦巻きバネ式バランサー装置が提供される。
【０００９】
請求項４に係る本発明として、上枠、下枠及び内面側に部材長手方向に沿って縦溝が形成された両縦枠からなる窓枠の内部に、上下方向に開閉可能な可動障子を備えるとともに、前記窓枠の上部位置に請求項１〜３いずれかに記載の渦巻きバネ式のバランサー装置を配置し、このバランサー装置から繰り出された吊索によって前記可動障子を吊持するようにした上げ下げ窓における障子の建込み方法であって、
前記可動障子の両側部にそれぞれ、側方に突出して吊索係止部材を設けておき、この吊索係止部材に対してバランサー装置から繰り出された吊索を係止させた状態で、可動障子を窓枠内に建て込んだならば、前記可動障子を下降させることにより、前記吊索に設けられた止め具の係合を自動的に解除させるようにしたことを特徴とする上げ下げ窓における障子の建込み方法が提供される。
【００１０】
上記請求項４記載の本発明においては、先ず渦巻きバネ式バランサー装置については、上記請求項１〜３の発明に記載されるように、可動障子を吊持する前の製品状態時に、前記吊索を所定長さだけ繰り出した状態で保持するために、吊索の中間に固定された止め具を備えるとともに、バランサー本体側に前記止め具を係合し仮止めするための仮止め部を備え、かつ前記仮止め部は、巻取りドラムからの吊索下げ落とし位置に近接して設けられるとともに、吊索を下方側に引き込んだ際に前記吊索に設けられた止め具の係合が自動的に解除される構造としておく。
【００１１】
そして、障子の建込みに当たっては、障子の両側部に設けられた吊索係止部に吊索を係止させた状態で障子の建込みを行い、その後に、障子を僅かに下降させることにより、吊索に設けられた止め具が自動的に係合解除されるようにした。従って、従来複数の人員と手間が掛かった障子の建込みが一人でできるようになり、組立ての容易化と省力化を図り得るようになる。また、予め吊索は所定長さだけ繰り出した状態で仮止めされており、障子の吊索係止部に係止させた後、止め具の係合を解除するようにしたため、従来のように、前記吊りワイヤを引き下げた際、誤って吊りワイヤを離してしまうと吊りワイヤが巻取りドラムに絡まってしまうような事態を未然に回避できるようになる。
【００１２】
請求項５に係る本発明として、上枠、下枠及び内面側に部材長手方向に沿って縦溝が形成された両縦枠からなる窓枠の内部に、上下方向に開閉可能な可動障子を備えるとともに、前記窓枠の上部位置に請求項１〜３いずれかに記載の渦巻きバネ式のバランサー装置を配置し、このバランサー装置から繰り出された吊索によって前記可動障子を吊持するようにした上げ下げ窓における障子の建込み方法であって、
前記バランサー装置からの吊索をスライダーに係止させたならば、窓枠内に可動障子を嵌め込み、可動障子の下端部に設けられたバー部材をスライダーに連結したならば、前記可動障子を下降させることにより、前記吊索に設けられた止め具の係合を自動的に解除させるようにしたことを特徴とする上げ下げ窓における障子の建込み方法が提供される。
【００１３】
請求項６に係る本発明として、前記縦枠の上端部であってかつ前記渦巻きバネ式バランサー装置の下面側位置に、前記縦枠の開口を塞ぐ封鎖部材が設けられるとともに、この封鎖部材は、可動障子の昇降に伴う吊索の下げ落とし位置の変化軌跡線にほぼ沿うように吊索貫通用切込み線が設けられるとともに、この吊索貫通用切込み線へ吊索を導入するための導入切込み線が設けられた吊索挿通部を備え、前記吊索挿通部の導入切込み線の入口部に吊索を近接させた状態として前記封鎖部材を配置し、障子建込み時における可動障子の下降時に、前記吊索が自動的に前記導入切込み線を経て吊索貫通用切込み線内に導入されるようにしてある請求項４、５いずれかに記載の上げ下げ窓における障子の建込み方法が提供される。
【発明の効果】
【００１４】
以上詳説のとおり本発明によれば、上げ下げ窓において、可動障子の建込みを容易化するとともに、省力化を図り得るようになる。
【発明を実施するための最良の形態】
【００１５】
以下、本発明の実施の形態について図面を参照しながら詳述する。
図１は本発明に係るバランサー装置を用いた上げ下げ窓の正面図であり、図２〜図４はそれぞれ前記バランサー装置の正面図、底面図（図２のIII−III線矢視図）および側面図（図２のIV−IV線矢視図）である。
【００１６】
図示される上げ下げ窓１は、方形枠状に構成された窓枠２の内部に、縦枠２Ａ、２Ｂに沿って昇降自在とされる室内側障子３（以下、可動障子という。）と、固定式室外側障子４とを備え、前記縦枠２Ａ、２Ｂの上部に渦巻きバネ式バランサー装置５、５（以下、単にバランサー装置という。）が設けられるとともに、この渦巻きバネ式バランサー装置５，５から繰り出された吊りワイヤ３２が可動障子３の下端側側部に突出して設けられた吊索係止部材６に係止され可動障子３を吊持している。この渦巻きバネ式バランサー装置５は、内設された渦巻きバネにより前記障子３の重力と力学的に平衡関係を保ち、前記可動障子３を小さな力で簡単に開閉できるようになっているとともに、任意の高さ位置に停止できるようになっている。なお、前記室外側障子についても同様に、上下方向に開閉可能の可動障子とし、別途設けた渦巻きバネ式バランサー装置５により吊持することができる。
【００１７】
なお、前記上げ下げ窓１においては、図１に示されるように、前記可動障子３の上框の両側にそれぞれ縦枠２Ａ、２Ｂの縦溝２ａ、２ｂへのスライド操作によって係脱自在とされる係合バーを備える係合金具７，７が設けられ、前記係合バーを縦溝２ａ、２ｂから離脱することにより、前記吊索係止部材６を回転軸として可動障子３を室内側に傾倒可能となっている。また、可動障子３の上框にはクレセント錠８が設けられ、固定式室外側障子４にクレセント受け（図示せず）が設けられ、施錠を成すようになっている。
【００１８】
前記バランサー装置５は、詳細には図２〜図４に示されるように、ハウジングを構成する第１ベース板２０および第２ベース板２１と、これら第１および第２ベース板２０、２１によって支持された支軸２２と、前記第１および第２ベース板２０、２１によって挟まれた空間内に配設されるとともに、前記支軸２２を回転軸として回転自在に支持され、内側障子３を吊持している吊りワイヤ３２を周面に螺旋状に形成された巻取り溝２４ａに巻き取っているワイヤ巻取りドラム２４と、前記支軸２２に外嵌して配設されるとともに、内方端が前記支軸２２に係止されるとともに、外方端が前記ワイヤ巻取りドラム２４に掛止された渦巻きバネ２３とからなる装置で、前記支軸２２の回転調整により前記内側障子３の重量と釣り合う上方向力を与えることが出来るようになっている。
【００１９】
以下、さらに具体的に詳述すると、前記第１ベース板２０は、後述のブラケット１１に対する固定のために断面Ｌ字状の板材が用いられ、一方第２ベース板２１は、前記第１ベース板２０の板面に対して離間させるために３本の脚部２１ａ〜２１ｃを備え、前記第１ベース板２０に対して前記脚部２１ａ〜２１ｃの先端面を当接させ、板面を平行的に対面させた状態で平ネジ３６、３６…にて連結されている。
【００２０】
また、前記第１ベース板２０と第２ベース板２１とによって挟まれた空間内には、吊りワイヤ３２を巻き取る溝が螺旋状に形成された巻取りドラム２４が前記支軸２２を回転軸として設けられているとともに、この巻取りドラム２４に連設して一体的にバネケース３７が配設されている。このバネケース３７内には、内方端が前記支軸２２に係止されるとともに、外方端が前記バネケース３７内壁に掛止された渦巻きバネ２３が内設されている。
【００２１】
一方、前記第２ベース板２１の外面部には、前記支軸２２にラチェット車２５が一体的に固設されているとともに、軸２８によって揺動自在に支持されたクリック２７が設けられている。前記クリック２７は、前記ラチェット車２５側に向けてバネ２６によって付勢され、歯２７ａが前記ラチェット車２５の歯２５ａに係合し、支軸２２を所定の巻き回数位置にて固定可能となっている。すなわち、上げ下げ窓１の建付け時に、前記支軸２２を前記渦巻きバネ２３の巻き方向に回転し、所定の巻き回数位置にて前記支軸２２に固定されたラチェット車２５に対してクリック２７を噛合させることにより、窓建付け時に内側障子３の重量と釣り合う上方向力を導入できるようになっている。
【００２２】
したがって、前記支軸２２の回転操作により、前記渦巻きバネ式バランサー装置５の渦巻きバネ２３に対し内側障子３の重量と釣り合う付勢力を与えておくと、渦巻きバネ２３による上方向付勢力は、内側障子３が昇降位置にあっても内側障子３の重量と釣り合うようになり、任意の障子開位置で停止できるようになるとともに、上下方向に力が均衡しているため僅かの力で内側障子３を開閉操作できるようになる。
【００２３】
また、前記支軸２２には、支軸２２の回転に伴って回転するとともに、周縁に係合歯２９ａが形成された計数用間欠ギア部材２９が外嵌されている。また、前記支軸２２の隣接位置には、軸３０によって第２ベース板２１に回転自在に支持され、周縁に前記計数用間欠ギア部材２９の係合歯２９ａが一回転周期毎に係合する係合歯３１ａ、３１ａ…が形成されるとともに、１係合毎に１歯分だけ回転される歯車状の計数用回転板３１が設けられており、図示の例では、前記係合歯３１ａ、３１ａ…に対して前記支軸２２の巻き回数を計数する指標数字（１，３，５…）が表示されているとともに、計数位置に目印３３が設けられている。
【００２４】
なお、前記バランサー装置５は、縦枠２Ａ、２Ｂまたは上枠に対し直接取り付けることもできるが、本例では前記縦枠２Ａ、２Ｂに対しスペーサ４０を間に介して固定ネジ４２，４２によって固定されたブラケット４１に対し取付けされている。
【００２５】
前記バランサー装置においては、図２等に示されるように、可動障子３を吊持する前の製品状態時において、前記吊りワイヤ３２を所定長さだけ繰り出した状態で保持するために、吊りワイヤ３２の中間に固定された止め具３４、図示例では吊りワイヤを外嵌する筒状部材をカシメて固定した止め具３４を設けるとともに、バランサー本体側、図示例では第２ベース板２１の延在片２１ｄにより前記止め具３４を係合させるための仮止め部３５が形成されている。
【００２６】
前記仮止め部３５は巻取りドラム２４からの初期の吊索下げ落とし位置に近接して設けられるとともに、吊りワイヤ３２を下方側に引き込んだ際に前記吊りワイヤ３２に設けられた止め具３４の係合が自動的に解除される構造としてある。具体的には、図３に示されるように、吊りワイヤ３２の下げ落とし位置側に向けかつ斜め下方側に仮止め座面を傾斜させて形成した延在片２１ｄに吊りワイヤ３２の下げ落とし位置側に開口を臨ませた切欠き２１ｅを形成しておき、前記止め具３４の係合時には前記切欠き２１ｅに対して止め具３４の一部、図示例では前端部を係合させることにより仮止めしておき、吊りワイヤ３２が下方側に引き込まれた際、前記止め具３４が前記切欠き２１ｅから外れる構造としてある。
さらに具体的に詳述すると、前記仮止め部３５においては、図５に示されるように、延在片２１ｄの下げ落とし位置側に開口を臨ませた略鍵穴形状の切欠き２１ｅを形成しておく。該鍵穴形状の切欠き２１ｅは手前側に位置する等幅溝部２１ｇと、深部側の円形溝部２１ｈとからなり、前記等幅溝部２１ｇにおいて、対峙するリップ片２１ｆ，２１ｆを外部側（留め具３４の係合面側）に若干起立させておく。一方、留め具３４は先端部分が円錐台形状とされ、前記切欠き２１ｅに係合させた状態では、先端部分が前記円形溝部２１ｈに浅く嵌合し、かつ前記等幅溝部２１ｇのリップ片２１ｆ、２１ｆが若干起立されていることによって容易に抜け出ないように仮止めされている。
なお、前記仮止め部３５は、巻取りドラム２４からの初期の吊索下げ落とし位置（ラインＬ）から３０mm以内、好ましくは２０mm以内の距離Ｓに設けることが望ましい。
【００２７】
一方、図２に示されるように、前記縦枠２Ａ、２Ｂの上端部であってかつ前記渦巻きバネ式バランサー装置５の下面側位置には、気密を確保するために前記縦枠２Ａ、２Ｂの開口を塞ぐ封鎖部材９が設けられている。前記封鎖部材９は、詳細には図６に示されるように、射出成形によって製造されたプラスチック部材であり、図面右方側にはバランサー装置５から繰り出された吊りワイヤ３２を挿通するための吊索貫通部９Ａが形成されている。なお、本例の封鎖部材９の場合には、室外側障子４を可動障子とした上げ下げ窓にも兼用可能なように、図面左方側には室外側障子用の吊索貫通部９Ｂが形成されている。
【００２８】
前記吊索貫通部９Ａは、可動障子３の昇降に伴う吊りワイヤ３２の下げ落とし位置の変化軌跡線、すなわち巻取りドラム２４の外形線（ワイヤ巻取り部の傾斜線）にほぼ沿うように吊索貫通用切込み線９ａが設けられるとともに、この吊索貫通用切込み線９ａへ吊りワイヤ３２を導入するための導入切込み線９ｂが設けられている。
【００２９】
前記封鎖部材９は、図７に示されるように、吊索挿通部９Ａの導入切込み線９ｂの入口部９ｃに吊りワイヤ３２を近接させた状態で配置され、後述する可動障子３の建込み時に、可動障子３とともに吊りワイヤ３２を下降側に引き込んだ際、前記吊りワイヤ３２が自動的に前記導入切込み線９ｂを経て吊索貫通用切込み線９ａ内に導入されるようになっている。なお、室外側障子４のための吊索貫通部９Ｂは、滑車を介して吊りワイヤ３２を下げ落ろす構造となっているため、障子の昇降に拘わらず常に一定位置に保持されるため、吊索貫通用切込み線が斜め方向には形成されていない。
【００３０】
他方、前記可動障子３の下端側両側部に設けられた前記吊索係止部材６は、詳細には図１０に示されるように、可動障子３の下框３Ｄに固定ネジ１３等の締結手段によって固定されるロッド棒１０と、このロッド棒１０の先端に固定されるワイヤーフック部材１１と、前記可動障子３の建込み時には前記ロッド棒１０に沿ってスライド可能な状態とされ、かつ前記可動障子３のセット状態では所定位置に固定される振止めシュー１２とから構成されている。
【００３１】
前記ロッド棒１０は断面矩形状の例えばステンレス等からなる棒部材であって、図１０に示すように、可動障子３の下框３Ｄに形成された矩形状のリップ状溝３ｄに対して端面側から挿入され、基端側に形成されたネジ孔１０ａを通して挿入された固定ネジ１３によって移動不能に固定される。なお、前記ロッド棒１０の断面形状および材質は上記例には限定されず、所要の強度を有すれば断面形状および材質は問わない。
【００３２】
前記ロッド棒１０の前端部には雌ネジ孔１０ｃが形成され、この雌ネジ孔１０ｃに螺入される固定ネジ１４によって前記ワイヤーフック部材１１が固定されている。このワイヤーフック部材１１は、前記ロッド棒１０が貫通される通孔１１ａが形成された小片部材で、下面側にはネジ設置用凹部１１ｃが形成されるとともに、この底面より前記通孔１１ａに連通する通孔１１ｂが形成されている。また、先端部には、吊りワイヤ３２を係止するためのフック部１１Ａが形成されている。このフック部１１Ａは、図１１にも示されるように、正面視形状が円形を成すとともに、その外周に吊りワイヤ３２のリング部５ｂを回動可能に引っ掛けるための環状溝１１ｄが形成されている。このようにワイヤ係止部を環状溝状に形成するのは、前記可動障子３を掃除のために吊索係止部材６を軸として室内側に傾倒させる際、吊りワイヤ３２に応力的な負担を掛けずに可動障子３を回転させるためである。
【００３３】
前記ワイヤフック部材１１をロッド棒１０に固定するには、ワイヤフック部材１１に形成された通孔１１ａ内にロッド棒１０の先端を差込み、ロッド棒１０の雌ネジ孔１０ｃと、通孔１１ｂとを位置合わせした状態で固定ネジ１４を螺入し、両者を堅固に固定するようにする。
【００３４】
一方、振止めシュー１２は、相対的に大径に形成された左右方向の振止め部１２Ａと、相対的に小径に形成された室内外方向の振止め部１２Ｂとから構成されている。また、前記振止め部１２Ａ、１２Ｂとを貫通する方向に前記ロッド棒１０が貫通される通孔１２ａが形成されるとともに、下面側にはネジ設置用凹部１２ｂが形成されるとともに、この底面より前記通孔１２ａに連通する通孔１２ｃが形成されている。
【００３５】
可動障子３のセット状態では、同図に示されるように、固定ネジ１５が前記通孔１２ｃより挿入され、ロッド棒１０の雌ネジ孔１０ｂに螺入されることにより振止めシュー１２が可動障子３の左右方向及び室内外方向の振止めを成す位置に固定されるようになっている。すなわち、前記左右方向の振止め部１２Ａは、縦枠２Ａ（２Ｂ）の縦溝２ａ（２ｂ）を形成しているリップ片２ｃ、２ｃの外面側に近接し可動障子３が左右方向に振れるのを防止するとともに、前記室内外方向の振止め部１２Ｂは、縦枠２Ａ（２Ｂ）の縦溝２ａ（２ｂ）に嵌め込まれ、前記リップ片２ｃ、２ｃ間に位置することにより可動障子３が室内外方向に振れるのを防止するようになっている。
【００３６】
かかる上げ下げ窓１において、前記可動障子３を窓枠２内に建て込んで組立てを行うには、図１２に示されるように、先ず可動障子３の下端側両側部に設けられた吊索係止部材６、６において、振止めシュー１２をロッド棒１０に沿ってスライド可能な状態としておく。次いで、図１３に示されるように、可動障子３の吊索係止部材６、６に対してバランサー装置５、５から繰り出された吊りワイヤ３２を係止させた状態で該可動障子３を横向きとしながら前記吊索係止部材６のワイヤーフック部材１１を縦枠２Ａ、２Ｂの縦溝２ａ、２ｂ内に順に遣返し（横ケンドン方式）によって挿入し可動障子３を窓枠２内に建て込むようにする。その後、図１４に示されるように、前記可動障子３を下降させることにより吊りワイヤ３２を下方に引込み、前記吊りワイヤ３２に設けられた止め具３４の係合を自動的に解除させるようにするとともに、図１５に示されるように、前記振止めシュー１２を縦枠２Ａ、２Ｂ方向にスライドさせ、固定ネジ１５により可動障子３の左右方向及び室内外方向の振止めを成す位置に固定する。
【００３７】
（他の障子建込み例）
ところで、本発明に係る障子の建込み方法は、図１６に示される従来構造の上げ下げ窓５０における障子の建込み方法、すなわちスライダー５３を吊りワイヤ５２の張力に抗して予め引き下げておき、窓枠５０内に可動障子５５を嵌め込んでから可動障子５５の下端部に設けられたバー部材５４をスライダー５３に連結する手順によって可動障子の建込みを行う場合についても同様に適用することが可能である。
【００３８】
具体的には、前記バランサー装置５からの吊索にスライダー５３を係止させたならば、窓枠内に可動障子５５を嵌め込み、可動障子の下端部に設けられたバー部材５４をスライダー５３に連結したならば、前記可動障子を下降させることにより、前記吊りワイヤ５２に設けられた止め具の係合を自動的に解除させるようにする。
【図面の簡単な説明】
【００３９】
【図１】渦巻きバネ式バランサー装置を備える上げ下げ窓の正面図である。
【図２】バランサー装置５の正面図である。
【図３】バランサー装置５の底面図（図２のIII−III線矢視図）である。
【図４】バランサー装置５の側面図（図２のIV−IV線矢視図）である。
【図５】(A)は図２の仮止め部３５部分の拡大図であり、(B)は(A)のB−B線矢視図、(C)は(B)のC−C線矢視図である。
【図６】封鎖部材９を示す、(A)は平面図、(B)は(A)のB-B線矢視図である。
【図７】封鎖部材９と吊りワイヤ３２との相対的位置関係を示す図である。
【図８】図１のVIII−VIII線矢視図である。
【図９】図１のIX−IX線矢視図である。
【図１０】(A)は吊索係止部の拡大側面図、(B)はその平面図である。
【図１１】図１０のＸ−Ｘ線矢視図である。
【図１２】可動障子３の建て込み手順（その１）を示す図である。
【図１３】可動障子３の建て込み手順（その２）を示す図である。
【図１４】可動障子３の建て込み手順（その３）を示す図である。
【図１５】可動障子３の建て込み手順（その４）を示す図である。
【図１６】従来の上げ下げ窓を示す正面図である。
【図１７】従来のバランサー装置５１を示す正面図である。
【符号の説明】
【００４０】
１…上げ下げ窓、２…窓枠、２Ａ・２Ｂ…縦枠、３…室内側障子（可動障子）、４…室外側障子、５…渦巻きバネ式バランサー装置、６…吊索係止部材、９…封鎖部材、１０…ロッド棒、１１…ワイヤーフック部材、１２…振止めシュー、１２Ａ…左右方向の振止め部、１２Ｂ…室内外方向の振止め部、３２…吊りワイヤ（吊索）、３４…止め具、３５…仮止め部
【図１】
2004353437.tif 000003
【図２】
2004353437.tif 000004
【図３】
2004353437.tif 000005
【図４】
2004353437.tif 000006
【図５】
2004353437.tif 000007
【図６】
2004353437.tif 000008
【図７】
2004353437.tif 000009
【図８】
2004353437.tif 000010
【図９】
2004353437.tif 000011
【図１０】
2004353437.tif 000012
【図１１】
2004353437.tif 000013
【図１２】
2004353437.tif 000014
【図１３】
2004353437.tif 000015
【図１４】
2004353437.tif 000016
【図１５】
2004353437.tif 000017
【図１６】
2004353437.tif 000018
【図１７】
2004353437.tif 000019